【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
向き付け支援幾何学的形状と、中心軸（Ｃ）とを有する両面切削インサート（１２、１１２）であって、前記中心軸の周りで前記切削インサートが割出し可能であり、
対向する同一の第一および第二の主面（１８、２０）と、その間に延在するインサート周面（２２）であって、各主面（１８、２０）は切削部分（３６）を備える、第一および第二の主面（１８、２０）とインサート周面（２２）と、
前記中心軸（Ｃ）に垂直で、前記第一および第二の主面（１８、２０）の中間に位置する中央面（Ｐ）と、
前記第一および第二の主面（１８、２０）にそれぞれ開口して対向する第一および第二のクランプ凹部（２６、１２６、２８、１２８）と、
を備える、切削インサート（１２、１１２）において、
各クランプ凹部（２６、１２６、２８、１２８）は、伸長軸（Ｅ１、Ｅ２）に沿って、前記中央面（Ｐ）に平行な方向に伸長され、
各クランプ凹部（２６、１２６、２８、１２８）は、凹部周面（３０ａ、３０ｂ）を備え、そのそれぞれは少なくとも１つの凹部当接面（３２）を備え、
前記第一および第二のクランプ凹部（２６、１２６、２８、１２８）の少なくとも一部分を前記中央面（Ｐ）上に投影すると、前記中心軸（Ｃ）を中心として互いに対して回転オフセットされ、
各クランプ凹部（２６、１２６、２８、１２８）は、前記中央面（Ｐ）に平行な方向に前記伸長軸（Ｅ１、Ｅ２）に沿って延在し、
各クランプ凹部（２６、１２６、２８、１２８）は、その対応する伸長軸（Ｅ１、Ｅ２）に沿った方向が、他のいずれの方向よりも長く、
いずれの前記クランプ凹部（２６、１２６、２８、１２８）も、前記中央面（Ｐ）を越えて延在しない、切削インサート（１２、１１２）。
【請求項２】
前記第一の主面（１６）のいかなる切削部分（３６）も、前記第二の主面（１８）の切削部分（３６）に対向して配置されていない、請求項１に記載の切削インサート（１２、１１２）。
【請求項３】
前記切削インサートの各主面（１８、２０）がちょうど２つの切削部分（３６）を備える、請求項１または２に記載の切削インサート（１２、１１２）。
【請求項４】
前記第一および第二のクランプ凹部（２６、１２６、２８、１２８）は、互いに接続し、それによって、前記第一および第二の主面（１８、２０）を接続する貫通孔（２７）を形成する、請求項１〜３のいずれか一項に記載の切削インサート（１２、１１２）。
【請求項５】
前記２つの凹部周面（３０ａ，３０ｂ）の輪郭（３４ａ，３４ｂ）を前記中央面（Ｐ）上に投影すると、一方の凹部周面（３０ａ）が投影された輪郭（３４ａ）は、他方の凹部周面（３０ｂ）が投影された輪郭（３４ｂ）と、４つの頂点でのみ交差する、請求項１〜４のいずれか一項に記載の切削インサート（１２、１１２）。
【請求項６】
前記２つの凹部周面（３０ａ，３０ｂ）の輪郭（３４ａ，３４ｂ）を前記中央面（Ｐ）上に投影すると、一方の凹部周面（３０ａ）が投影された輪郭（３４ａ）は、他方の凹部周面（３０ｂ）が投影された輪郭（３４ｂ）に対して、前記中心軸（Ｃ）の周りで回転オフセットされる、請求項１〜５のいずれか一項に記載の切削インサート（１２、１１２）。
【請求項７】
前記２つの凹部周面（３０ａ，３０ｂ）の輪郭（３４ａ，３４ｂ）を前記中央面（Ｐ）上に投影すると、一方の凹部周面（３０ａ）が投影された輪郭（３４ａ）のいかなる部分も、他方の凹部周面（３０ｂ）が投影された輪郭（３４ｂ）のいずれの部分にも接しない、請求項１〜６のいずれか一項に記載の切削インサート（１２、１１２）。
【請求項８】
前記伸長軸（Ｅ１、Ｅ２）は、それらの間にオフセット角（α）を形成し、
オフセット角（α）は９０°である、請求項１〜７のいずれか一項に記載の切削インサート（１２、１１２）。
【請求項９】
前記凹部当接面（３２）は、前記中央面（Ｐ）に垂直な方向に延在する、請求項１〜８のいずれか一項に記載の切削インサート（１２、１１２）。
【請求項１０】
前記クランプ凹部（２６、１２６、２８、１２８）は、ねじ切りされていない、請求項１〜９のいずれか一項に記載の切削インサート（１２、１１２）。
【請求項１１】
前記第一および第二のクランプ凹部（２６、１２６、２８、１２８）は、互いに同一である、請求項１〜１０のいずれか一項に記載の切削インサート（１２、１１２）。
【請求項１２】
前記インサート周面（２２）は、前記第一、第二およびコーナーの逃げ面（４６、４７、４８）を含み、
前記第一および第二の主切れ刃（３８、３９）のそれぞれは、前記第一および第二のすくい面（４２、４３）と、前記第一および第二の逃げ面（４６、４７）との交点にそれぞれ形成されており、
各コーナー切れ刃（４０）は、前記コーナーすくい面（４４）と前記コーナー逃げ面（４８）との交点に形成されており、
前記逃げ面（４６、４７、４８）は、ネガティブとして定義され、前記中央面（Ｐ）に対して垂直である、請求項１〜１１のいずれか一項に記載の切削インサート（１１２）。
【請求項１３】
各切削部分（３６）と前記中央面（Ｐ）との間で、前記インサート周面（２２）は、関連する前記第一および第二の側部当接面（５０、５２）をさらに含み、
前記第一および第二の側部当接面（５０、５２）は、それぞれ第一および第二の逃げ面（４６、４７）から延在しており、
前記側部当接面（５０、５２）は、前記逃げ面（４６、４７）から内向きに中心軸Ｃに向かって延在している、請求項１２に記載の切削インサート（１１２）。
【請求項１４】
いずれかの前記主面（１８、２０）の前記逃げ面（４６、４７）から延在する前記側部当接面（５０、５２）は、前記中央面（Ｐ）を通って対向する前記主面（１８、２０）に向かって延在している、請求項１３に記載の切削インサート（１１２）。
【請求項１５】
ポケット（１４、１１４）を有する工具本体（１６）と、前記ポケット（１４、１１４）内に固定された請求項１〜１４のいずれか一項に記載の切削インサート（１２、１１２）とを備える切削工具（１０、１１０）であって、前記ポケット（１４、１１４）が、
ベース当接面（５５）と、
第一および第二の壁当接面（６０、６２）と、
前記切削インサート（１２、１１２）の前記第一および第二のクランプ凹部（２６、１２６、２８、１２８）の１つに当接し、それによって、前記切削インサートを前記ポケット（１４、１１４）内に固定するように構成されたクランプ部材（６６、７５）と、
を備え、
前記第一および第二の主面（１８、２０）の一方が前記ベース当接面（５５）に当接し、前記インサート周面（２２）が前記第一および第二の壁当接面（６０、６２）に当接する、切削工具（１０、１００）。
【請求項１６】
ｉ）前記工具本体（１６）は、調整ねじ（７４）を受けるように構成された調整穴（７２）をさらに備え、
前記クランプ部材（６６）は、前記調整穴（７２）に接続されたクランプ穴（６６）を占有するクランプレバー（６６）であり、
前記クランプレバー（６６）は、前記凹部当接面（３２）に当接し、前記ポケット（１４）内に前記切削インサート（１２）を固定する、
あるいは、
ｉｉ）各クランプ凹部（１２６、１２８）は、対応する主当接面（１８、２０）に開口するねじ当接面（７６）をさらに備え、
前記クランプ部材（７５）は、前記ねじ当接面（７６）に当接し、前記凹部当接面（３２）に接触することなく、前記ポケット（１１４）内に前記切削インサート（１１２）を固定するクランプねじ（７５）である、
請求項１５に記載の切削工具（１１０）。